【手続補正書】
【提出日】平成18年9月6日(2006.9.6)
【手続補正１】
【補正対象書類名】明細書
【補正対象項目名】特許請求の範囲
【補正方法】変更
【補正の内容】
【特許請求の範囲】
【請求項１】
２つの組成物を構成要素とする発泡化粧料であって、該２つの組成物が、１）酸化マグネシウム及び／又は酸化亜鉛である金属酸化物を含む組成物と、２）有機酸である酸性物質を含む組成物であり、１）及び／又は２）の組成物中に発泡剤を含有することを特徴とする、発泡化粧料。
【請求項２】
酸性物質が、クエン酸であることを特徴とする、請求項１に記載の発泡化粧料。
【請求項３】
発泡剤が、液化天然ガスであることを特徴とする、請求項１又は２に記載の発泡化粧料。
【請求項４】
１）酸化マグネシウム及び／又は酸化亜鉛と液化天然ガスを含む組成物と、２）クエン酸を含む組成物、の２つの組成物を耐圧容器に充填した発泡化粧料であって、
該耐圧容器が１）及び２）の組成物充填用のそれぞれ独立したチャンバーと、該２つのチャンバーの出口が合一している吐出口を有するものであることを特徴とする、請求項１〜３何れか１項に記載の発泡化粧料。
【請求項５】
噴出時ジェル状であり、塗布時に発泡することを特徴とする、請求項１〜４何れか１項に記載の発泡化粧料。
【請求項６】
パック化粧料又はシェービング化粧料であることを特徴とする、請求項１〜５何れか１項に記載の発泡化粧料。
【手続補正２】
【補正対象書類名】明細書
【補正対象項目名】０００１
【補正方法】変更
【補正の内容】
【０００１】
【発明の属する技術分野】
本発明は、発泡化粧料に関し、更に詳しくは、パック化粧料やシェービング化粧料に好適な、発泡化粧料に関する。
【手続補正３】
【補正対象書類名】明細書
【補正対象項目名】０００５
【補正方法】変更
【補正の内容】
【０００５】
【発明が解決しようとする課題】
本発明は、この様な状況下為されたものであって、使用感、安全性に優れる、温感を有する発泡化粧料を提供することを課題とする。
【手続補正４】
【補正対象書類名】明細書
【補正対象項目名】０００６
【補正方法】変更
【補正の内容】
【０００６】
【課題の解決手段】
この様な状況に鑑みて、本発明者らは、使用感、安全性に優れる、温感を有する発泡化粧料を求め、鋭意研究努力を重ねた結果、２つの組成物を構成要素とする発泡化粧料であって、該２つの組成物が、１）特定の金属酸化物を含むことを特徴とする組成物と、２）特定の酸性物質を含むことを特徴とする組成物であり、１）及び／又は２）の組成物中に発泡剤を含有することを特徴とする、発泡化粧料にその様な作用を見いだし、発明を完成させるに至った。即ち、本発明は以下に示す技術に関するものである。
（１）２つの組成物を構成要素とする発泡化粧料であって、該２つの組成物が、１）酸化マグネシウム及び／又は酸化亜鉛である金属酸化物を含む組成物と、２）有機酸である酸性物質を含む組成物であり、１）及び／又は２）の組成物中に発泡剤を含有することを特徴とする、発泡化粧料。
（２）酸性物質が、クエン酸であることを特徴とする、（１）に記載の発泡化粧料。
（３）発泡剤が、液化天然ガスであることを特徴とする、（１）又は（２）に記載の発泡化粧料。
（４）１）酸化マグネシウム及び／又は酸化亜鉛と液化天然ガスを含む組成物と、２）クエン酸を含む組成物、の２つの組成物を耐圧容器に充填した発泡化粧料であって、
該耐圧容器が１）及び２）の組成物充填用のそれぞれ独立したチャンバーと、該２つのチャンバーの出口が合一している吐出口を有するものであることを特徴とする、（１）〜（３）何れか１項に記載の発泡化粧料。
（５）噴出時ジェル状であり、塗布時に発泡することを特徴とする、（１）〜（４）何れか１項に記載の発泡化粧料。
（６）パック化粧料又はシェービング化粧料であることを特徴とする、（１）〜（５）何れか１項に記載の発泡化粧料。
以下、本発明について、実施の形態を中心に更に詳細に説明を加える。尚、以下本発明の発泡化粧料を単に化粧料と称す。
【手続補正５】
【補正対象書類名】明細書
【補正対象項目名】０００７
【補正方法】変更
【補正の内容】
【０００７】
（１）  本発明の化粧料の必須成分である金属酸化物
本発明の化粧料は、酸化マグネシウム及び／又は酸化亜鉛である金属酸化物を必須成分として含有することを特徴とする。これは、この様な金属酸化物が酸性成分と混合したときに発生する熱量が、化粧料に於ける温感と良く一致しているためである。本発明の化粧料に於いて、この様な酸化マグネシウム及び／又は酸化亜鉛である金属酸化物は唯一種を含有することもできるし、二種を組み合わせて含有させることもできる。これら金属酸化物の本発明の化粧料に於ける好ましい含有量は、塗布直前の化粧料全量に対して総量で０．１〜２０重量％であり、更に好ましくは、１〜１０重量％である。これは、少なすぎると好ましい温度となる熱量が得られない場合があり、多すぎると、化粧料の温度が高くなりすぎるためである。
【手続補正６】
【補正対象書類名】明細書
【補正対象項目名】０００８
【補正方法】変更
【補正の内容】
【０００８】
（２）  本発明の化粧料の必須成分である酸性物質
本発明の化粧料は、有機酸である酸性物質を必須成分として含有することを特徴とする。この様な有機酸は、発泡用に組成物全体が酸性になるのであれば、遊離の有機酸の形態であっても、一部が塩になった酸性の緩衝組成物の形態であってもかまわない。好ましい形態は、泡が持続的に発生することから、一部が塩となった緩衝組成物の形態である。この様な有機酸（イオン）としては、クエン酸（イオン）、蓚酸（イオン）、グリコール酸（イオン）、乳酸（イオン）、リンゴ酸（イオン）等が例示でき、これらは唯１種を含有することも出来るし、２種以上を組み合わせて含有することも出来る。この様な中で特に好ましい形態は、塗布直前の組成物全量に対して、クエン酸及び／又は、クエン酸イオンをクエン酸に換算して１〜１５重量％、更に好ましくは４〜１０重量％含有することである。
又、かかる酸性物質と金属酸化物の重量比は３：５〜５：３が特に好ましい。
【手続補正７】
【補正対象書類名】明細書
【補正対象項目名】０００９
【補正方法】変更
【補正の内容】
【０００９】
（３）  本発明の化粧料の必須成分である発泡剤
本発明の化粧料は発泡剤を必須成分として含有することを特徴とする。本発明で言う発泡剤とは２５℃１気圧の条件下で気体であり、加圧下においては液体の性状を有するものであり、具体的には例えば、フロン類、液化天然ガス、ノルマルブタン、イソブタン、プロパン、ジメチルエーテルなどが好ましく例示できる。これらの内、特に好ましいものは液化天然ガスである。これは使用実績から高圧ガスとしての安全性も皮膚に対する安全性もともに充分に確保されているからである。この様な発泡剤の好ましい含有量は、発泡剤の種類にもより異なるが、０．１〜１０重量％が好ましく、１〜５重量％が更に好ましい。これは、多すぎると泡の形態が化粧料として好ましくない場合があり、少なすぎると発泡が充分でない場合があるからである。
【手続補正８】
【補正対象書類名】明細書
【補正対象項目名】００１０
【補正方法】変更
【補正の内容】
【００１０】
（４）  本発明の化粧料
本発明の化粧料は、上記必須成分である金属酸化物を含む組成物と酸性物質を含む組成物とを保存状態に於いては隔壁された状態で構成されるものであり、この２つの組成物のどちらかに発泡剤を含有することを特徴とする。この様な構成成分の内、発泡剤は通常の状態に於いては気体であるため、本発明の組成物の内、この様な発泡剤を含有する部分は、加圧状態で保存されることが好ましい。この様なことを実現する手段としては、吐出口で連結された、２つの独立されたチャンバーを有する、耐圧容器である。この様な耐圧容器としては、例えば、特開昭５７−１８３９７８号、特開昭６２−２２０４７１号、特開平７−３０８７２５号などに記載された容器が好ましく例示できる。この様な容器の２つのチャンバーに前記２種の組成物を充填し、密閉することにより、使用時にかかる２種の組成物を混合させ吐出させることができ、吐出時にはジェル乃至はクリーム状で、その後フォームを形成する形態を具現できる。この様な形態をとることにより、フォーム状化粧料の持つなめらかな感触と密閉性の良さというメリットを生かしながら、温感を付与できる優れた化粧料が具現化できる。この様な特質を生かす化粧料としては、例えば、フォーム状パック或いはフォーム状ひげ剃り化粧料などが好ましく例示できる。この様なフォーム状パックに於いては、パック効果に加えて温熱効果を付与できるし、フォーム状ひげ剃り料に於いては、毛を柔軟化し、ひげ剃りを効果的に行うことができる。
【手続補正９】
【補正対象書類名】明細書
【補正対象項目名】００１３
【補正方法】変更
【補正の内容】
【００１３】
＜実施例１＞
以下に示す処方に従って、本発明の化粧料である、フォーム状パックを作成した。即ち、（１液）の成分を良く混練りし組成物１を作成した。又、（２液）の成分を攪拌可溶化し組成物２を作成した。特開昭６２−２２０４７１号の図２に示されたダブルチェンバーエアゾール容器の１つのチェンバーに組成物１を５重量部の液化天然ガスとともに充填し、残りの１つのチェンバーに組成物２を充填した。このものの吐出物は、吐出時はジェル状で、徐々に発泡し泡状になった。このもののパック効果について、パック後２時間の皮膚平均温度を測定し比較した。即ち、パネラーの右半顔を本発明のフォーム状パックでパックし、左半顔を液化天然ガスを加えず、発泡しない形態の組成物１と組成物２を使用直前に混合して調製したパック料でそれぞれ１０分間処理し、洗顔した２時間後、サーモグラフィーにより、顔上の２４点の温度を計測し、その平均を取り、それぞれの平均皮膚温とした。結果は、本発明のフォーム状パックでの処理側（右半顔）が３７．３℃であり、発泡しないタイプのパックでの処理側（左半顔）が３６．２℃であり、本発明のフォーム状パック料により、血行促進がなされ、処理後２時間でも体温上昇効果が認められた。尚、下記処方は吐出して塗布前の状態のものである。
（１液）
ポリオキシエチレン（４５）フィトステロール      ０．４５重量部
セタノール                                      ２．６  重量部
ステアリン酸                                    ０．９  重量部
デカグリセリンモノオレート                      １．９  重量部
１，３−ブタンジオール                          ９．７  重量部
ポリエチレングリコール４００                  ３７．０３重量部
酸化マグネシウム                                ４．５  重量部
カオリン                                        ２．６  重量部
無水珪酸                                        ４．５  重量部
黄色酸化鉄                                      ０．０２重量部
液化天然ガス                                    ３．２  重量部
（２液）
クエン酸                                        ５．２  重量部
メチルパラベン                                  ０．０１重量部
水                                            ２７．０９重量部
【手続補正１０】
【補正対象書類名】明細書
【補正対象項目名】００１４
【補正方法】変更
【補正の内容】
【００１４】
＜実施例２＞
実施例１のフォーム状パックに更に、増粘剤である、キサンタンガムを添加し、同様に本発明のフォーム状パックを作成した。結果は、実施例１よりも更にきめの細かいフォームが生成し、保温力も良好で更に温感効果を持続することができた。これより、増粘剤、キサンタンガムを０．０１〜０．５重量％程度含有させることが更に好ましい形態であることが判明した。
（１液）
ポリオキシエチレン（４５）フィトステロール      ０．４５重量部
セタノール                                      ２．６  重量部
ステアリン酸                                    ０．９  重量部
デカグリセリンモノオレート                      １．９  重量部
１，３−ブタンジオール                          ９．７  重量部
ポリエチレングリコール４００                  ３７．０３重量部
酸化マグネシウム                                ４．５  重量部
カオリン                                        ２．６  重量部
無水珪酸                                        ４．５  重量部
黄色酸化鉄                                      ０．０２重量部
液化天然ガス                                    ３．２  重量部
（２液）
クエン酸                                        ５．２  重量部
メチルパラベン                                  ０．０１重量部
水                                            ２６．９９重量部
キサンタンガム                                  ０．１  重量部
【手続補正１１】
【補正対象書類名】明細書
【補正対象項目名】００１５
【補正方法】変更
【補正の内容】
【００１５】
＜実施例３＞
実施例１の酸化マグネシウムの量とクエン酸の量を変えて本発明の化粧料であるフォーム状パック料を作成した。このものは、温感が若干強すぎた。
（１液）
ポリオキシエチレン（４５）フィトステロール      ０．４５重量部
セタノール                                      ２．６  重量部
ステアリン酸                                    ０．９  重量部
デカグリセリンモノオレート                      １．９  重量部
１，３−ブタンジオール                          ９．７  重量部
ポリエチレングリコール４００                  ３２．０３重量部
酸化マグネシウム                                ９．５  重量部
カオリン                                        ２．６  重量部
無水珪酸                                        ４．５  重量部
黄色酸化鉄                                      ０．０２重量部
液化天然ガス                                    ３．２  重量部
（２液）
クエン酸                                      １０．２  重量部
メチルパラベン                                  ０．０１重量部
水                                            ２２．０９重量部
【手続補正１２】
【補正対象書類名】明細書
【補正対象項目名】００１６
【補正方法】変更
【補正の内容】
【００１６】
＜実施例４＞
実施例３と同様に酸化マグネシウムとクエン酸の量を変えて検討したが、このものは若干温感が弱すぎた。実施例３の結果も考えあわせると、金属酸化物の本発明の化粧料に於ける好ましい含有量は、塗布直前の化粧料全量に対して総量で０．１〜２０重量％であり、更に好ましくは、１〜１０重量％であり、塗布直前の組成物全量に対して、クエン酸及び／又は、クエン酸イオンをクエン酸に換算して１〜１５重量％、更に好ましくは４〜１０重量％含有することが好ましいことがわかる。
（１液）
ポリオキシエチレン（４５）フィトステロール      ０．４５重量部
セタノール                                      ２．６  重量部
ステアリン酸                                    ０．９  重量部
デカグリセリンモノオレート                      １．９  重量部
１，３−ブタンジオール                          ９．７  重量部
ポリエチレングリコール４００                  ４０．０３重量部
酸化マグネシウム                                １．５  重量部
カオリン                                        ２．６  重量部
無水珪酸                                        ４．５  重量部
黄色酸化鉄                                      ０．０２重量部
液化天然ガス                                    ３．２  重量部
（２液）
クエン酸                                        ２．２  重量部
メチルパラベン                                  ０．０１重量部
水                                            ３０．０９重量部
【手続補正１３】
【補正対象書類名】明細書
【補正対象項目名】００１７
【補正方法】変更
【補正の内容】
【００１７】
＜実施例５＞
実施例１〜４と同様に、本発明の化粧料である、シェービングフォームを作成した。このものの酸化マグネシウムをカオリンに置換した比較例２を作成し、半顔でひげ剃り試験を行ったところ、実施例５の本発明の化粧料ではそり残しがほとんどないのに比し、比較例２は明らかにこれよりそり残しが目立った。これより、ひげ剃りに於ける温熱効果が確かめられた。
（１液）
ポリオキシエチレン（４５）フィトステロール      ０．４５重量部
セタノール                                      ２．６  重量部
ステアリン酸                                    ０．９  重量部
デカグリセリンモノオレート                      １．９  重量部
１，３−ブタンジオール                          ９．７  重量部
ポリエチレングリコール４００                  ３７．０３重量部
酸化マグネシウム                                ４．５  重量部
カオリン                                        ２．６  重量部
無水珪酸                                        ４．５  重量部
黄色酸化鉄                                      ０．０２重量部
液化天然ガス                                    ３．２  重量部
（２液）
クエン酸                                        ５．２  重量部
メチルパラベン                                  ０．０１重量部
水                                            ２６．９９重量部
ウィッチヘーゼル抽出物                          ０．１  重量部
【手続補正１４】
【補正対象書類名】明細書
【補正対象項目名】００１８
【補正方法】変更
【補正の内容】
【００１８】
＜実施例６＞
実施例５と同様にシェービングフォームを作成した。このものも温感があり、これによってひげを軟化し、そり残しを防止する作用に優れていた。
（１液）
ポリオキシエチレン（４５）フィトステロール      ０．４５重量部
セタノール                                      ２．６  重量部
ステアリン酸                                    ０．９  重量部
デカグリセリンモノオレート                      １．９  重量部
１，３−ブタンジオール                          ９．７  重量部
ポリエチレングリコール４００                  ３７．０３重量部
酸化亜鉛                                        ４．５  重量部
カオリン                                        ２．６  重量部
無水珪酸                                        ４．５  重量部
黄色酸化鉄                                      ０．０２重量部
液化天然ガス                                    ３．２  重量部
（２液）
クエン酸                                        ５．２  重量部
メチルパラベン                                  ０．０１重量部
水                                            ２６．９９重量部
ウィッチヘーゼル抽出物                          ０．１  重量部
【手続補正１５】
【補正対象書類名】明細書
【補正対象項目名】００１９
【補正方法】変更
【補正の内容】
【００１９】
【発明の効果】
本発明によれば、使用感、安全性に優れる、温感を有する発泡化粧料を提供することができる。